【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
基体上に少なくとも非晶質材料で構成された光導電層と表面層を有する電子写真感光体において、該電子写真感光体の10μｍ×10μｍの範囲における微視的な表面粗さで最も高い点を基準とした凹凸高さの負荷曲線における５％〜95％の高さの差をＡ、基準長さ0.8ｍｍで測定した巨視的な表面粗さで最も高い点を基準とした凹凸高さの負荷曲線における５％〜95％の高さの差をaとした時、Ａ及びaが下記(1)〜(3)の全ての条件を満たすことを特徴とする電子写真感光体。
(1)0.01μｍ≦Ａ≦0.30μｍ
(2)0.03μｍ≦a≦0.55μｍ
(3)1.0×10-3μｍ2≦Ａ×a≦4.5×10-2μｍ2
【請求項２】
前記Ａ及びaが下記(4)から(6)の全ての条件を満たすことを特徴とする請求項１に記載の電子写真感光体。
(4)0.02μｍ≦Ａ≦0.25μｍ
(5)0.05μｍ≦a≦0.45μｍ
(6)3.0×10-3μｍ2≦Ａ×a≦3.5×10-2μｍ2
【請求項３】
前記巨視的な表面粗さの前記負荷曲線における５％〜20％の傾きb、80％〜95％の傾きをcとしたとき、b及びcが下記(7)〜(9)の全ての条件を満たすことを特徴とする請求項１または２に記載の電子写真感光体。
(7)250(％/μｍ)≦b≦1000(％/μｍ)
(8)220(％/μｍ)≦c≦1000(％/μｍ)
(9)0.5≦c/b≦2.0
【請求項４】
前記微視的な表面粗さの前記負荷曲線おける５％〜20％の傾きをＢ、80％〜95％の傾きをＣとしたとき、Ｂ及びＣが下記(10)〜(12)の全ての条件を満たすことを特徴とする請求項１〜３のいずれか１項に記載の電子写真感光体。
(10)250(％/μｍ)≦Ｂ≦3000(％/μｍ)
(11)200(％/μｍ)≦Ｃ≦2000(％/μｍ)
(12)0.1≦Ｃ/Ｂ≦1.0
【請求項５】
前記Ａ及びaが下記(13)〜(15)の全ての条件を満たすことを特徴とする請求項１〜４のいずれか１項に記載の電子写真感光体。
(13)0.03μｍ≦Ａ≦0.20μｍ
(14)0.07μｍ≦a≦0.40μｍ
(15)5.0×10-3μｍ2 ≦Ａ×a≦3.0×10-2μｍ2
【手続補正２】
【補正対象書類名】明細書
【補正対象項目名】００１８
【補正方法】変更
【補正の内容】
【００１８】
詳細に記述すると、本発明は、基体上に少なくとも非晶質材料で構成された光導電層と表面層を有する電子写真感光体において、該電子写真感光体の10μｍ×10μｍの範囲における微視的な表面粗さで最も高い点を基準とした凹凸高さの負荷曲線における５％〜95％の高さの差をＡ、基準長さ0.8ｍｍで測定した巨視的な表面粗さで最も高い点を基準とした凹凸高さの負荷曲線における５％〜95％の高さの差をaとした時、Ａ及びaが下記(1)〜(3)の全ての条件を満たすことを特徴とする電子写真感光体に関する。
(1)0.01μｍ≦Ａ≦0.30μｍ
(2)0.03μｍ≦a≦0.55μｍ
(3)1.0×10-3μｍ2≦Ａ×a≦4.5×10-2μｍ2。
【手続補正３】
【補正対象書類名】明細書
【補正対象項目名】００４４
【補正方法】変更
【補正の内容】
【００４４】
巨視的な表面形状における山の傾きbを250％/μｍより小さくすると、巨視的な山の形状が立ってくるため、外添材やクリーニング部材による山と山の間及び谷部をクリーニングすることが難しくなり、その結果、高湿流れが発生する場合がある。また、bを1000％/μｍより大きくすると、微視的な山の形状がつぶれてくるため、クリーニング部材との接触面積が増加することにより、クリーニング不良による濃度低下や、クリーニング時にトナー等の逃げが減少することによるトナー等の融着が発生する場合があり、画像欠陥が発生する場合がある。
巨視的な表面形状における谷の傾きcを220％/μｍより小さくすると、微視的な谷の形状が立ってくるため、谷部のクリーニングが困難となり、その結果、高湿流れが発生する場合がある。また、cを1000％/μｍより大きくなる場合は、巨視的な形状も小さくなっているため、クリーニング部材との接触面積が増加することによるクリーニング性の低下やトナー等の融着が発生する場合があると推察される。
【手続補正４】
【補正対象書類名】明細書
【補正対象項目名】００６３
【補正方法】削除
【補正の内容】
【手続補正５】
【補正対象書類名】明細書
【補正対象項目名】００８４
【補正方法】変更
【補正の内容】
【００８４】
図８(d)に示す電子写真用感光体は、円筒状基体801の上に、光導電層（802）が設けられている。この光導電層はa-Ｓi:Ｈ,Ｘからなる電荷発生層805及び電荷輸送層806とからなり、その上にアモルファスシリコン系(又はアモルファス炭素系)表面層803が設けられている。電荷発生層805と表面層803の界面に関しては、連続的に変化させ界面反射を抑制する界面制御を施しても良い。
【手続補正６】
【補正対象書類名】明細書
【補正対象項目名】００８８
【補正方法】変更
【補正の内容】
【００８８】
まず、反応容器602内に円筒状基体601を設置し、不図示の排気装置による排気口612を介して反応容器602内を排気した後、不活性ガスを反応容器602内に供給する。そして、反応容器602の内圧が所望の圧力に設定した後に、ヒーター608によって円筒状基体601を所望の温度まで加熱を行う。
【手続補正７】
【補正対象書類名】明細書
【補正対象項目名】００９１
【補正方法】変更
【補正の内容】
【００９１】
図９において、電子写真感光体901の周囲に、電子写真感光体901に静電潜像形成のための帯電を行う一次帯電器902と、静電潜像の形成された電子写真感光体901に現像剤(トナー)を供給するための現像器903と、電子写真感光体表面のトナーを紙などの転写材904に移行させるための転写帯電器905と、電子写真感光体表面のクリーニングするためのクリーナー906とが配設されている。また、電子写真感光体901の内部には、不図示の感光体ヒーターが配設されており、この感光体ヒーターによって電子写真感光体901を加熱できる構成となっている。本例は感光体表面の均一なクリーニングを行うため、弾性ローラー907とクリーニングブレード908を用いて電子写真感光体表面のクリーニングを行っているが、いずれか一方のみでも差し支えない。また、クリーナー906と一次帯電器902の間には、次回の複写動作に備えて電子写真感光体表面の除電を行うための除電ランプ909が配設されており、また転写材904は送りローラー910により送られる。露光Ａの光源には、ハロゲン光源、あるいは単一波長を主とする光源を用いる。
【手続補正８】
【補正対象書類名】明細書
【補正対象項目名】０１２３
【補正方法】変更
【補正の内容】
【０１２３】
表４の結果より、電子写真感光体の微視的及び巨視的な表面形状について、Ａを0.02μｍ以上0.25μｍ以下、aを0.09μｍ以上0.18μｍ以下、Ａ×aを1.8×10-3μｍ2以上4.5×10-2μｍ2以下に制御することで高湿流れ(文字)、高湿流れ(中間調)、黒スジ及びクリーニング不良が良好となった。また、Ａを0.03μｍ以上0.20μｍ以下、aを0.10μｍ以上0.15μｍ以下、Ａ×aを3.0×10-3μｍ2以上3.0×10-2μｍ2以下に制御することで、より良好となった。更に、Ａを0.05μｍ以上0.20μｍ以下、aを0.10μｍ以上0.15μｍ以下、Ａ×aを5.0×10-3μｍ2以上3.0×10-2μｍ2以下に制御することで更にクリーニング不良が良好となり、高湿流れ(文字)、高湿流れ(中間調)、黒スジ及びクリーニング不良に対して特に良好となった。
【手続補正９】
【補正対象書類名】明細書
【補正対象項目名】０１３３
【補正方法】変更
【補正の内容】
【０１３３】
表７の結果より、電子写真感光体の微視的及び巨視的な表面形状について、Ａを0.01μｍ以上0.15μｍ以下、aを0.14μｍ以上0.25μｍ以下、Ａ×aを1.4×10-3μｍ2以上3.8×10-2μｍ2以下に制御することで高湿流れ(文字)、高湿流れ(中間調)、黒スジ及びクリーニング不良が良好となった。また、Ａを0.02μｍ以上0.15μｍ以下、aを0.15μｍ以上0.25μｍ以下、Ａ×aを3.0×10-3μｍ2以上3.8×10-2μｍ2以下に制御することで、黒スジ及びクリーニング不良がより良好となった。更に、Ａを0.03μｍ以上0.15μｍ以下、aを0.16μｍ以上0.25μｍ以下、Ａ×aを4.8×10-3μｍ2以上3.8×10-2μｍ2以下に制御することで、更に黒スジ及びクリーニング不良が良好となり、高湿流れ(文字)、高湿流れ(中間調)、黒スジ及びクリーニング不良に対して特に良好となった。
【手続補正１０】
【補正対象書類名】明細書
【補正対象項目名】０１４３
【補正方法】変更
【補正の内容】
【０１４３】
表10の結果より、電子写真感光体の微視的及び巨視的な表面形状について、Ａを0.02μｍ以上0.30μｍ以下、aを0.05μｍ以上0.10μｍ以下、Ａ×aを1.0×10-3μｍ2以上3.0×10-2μｍ2以下に制御することで高湿流れ(文字)、高湿流れ(中間調)、黒スジ及びクリーニング不良が良好となった。また、Ａを0.05μｍ以上0.25μｍ以下、aを0.06μｍ以上0.09μｍ以下、Ａ×aを3.0×10-3μｍ2以上2.3×10-2μｍ2以下に制御することで、より良好となった。そして、bを1000％/μｍ以下、cを1000％/μｍ以下に制御することで黒スジ及びクリーニング不良が更に良好となり、Ａを0.15μｍ以上0.20μｍ以下、aを0.07μｍ以上0.08μｍ以下、Ａ×aを1.1×10-2μm2以上1.6×10-2μｍ2以下に制御することで、高湿流れ(中間調)が更に良好となり、高湿流れ(文字)、高湿流れ(中間調)、黒スジ及びクリーニング不良に対して特に良好となった。
【手続補正１１】
【補正対象書類名】明細書
【補正対象項目名】０１５３
【補正方法】変更
【補正の内容】
【０１５３】
表13の結果より、電子写真感光体の微視的及び巨視的な表面形状について、Ａが0.10μｍとなるように研磨した場合、aを0.03μｍ以上0.45μｍ以下、Ａ×aを3.0×10-3μｍ2以上4.5×10-2μｍ2以下に制御することで高湿流れ(文字)、高湿流れ(中間調)、黒スジ及びクリーニング不良が良好となった。また、aを0.05μｍ以上0.35μｍ以下、Ａ×aを5.0×10-3μｍ2以上3.5×10-2μｍ2以下に制御することで、高湿流れ(文字)、高湿流れ(中間調)、及びクリーニング不良がより良好となった。そして、bを250％/μｍ以上、cを220％/μｍ以上にすることで更に高湿流れ(文字)が良好となり、aを0.07μｍ以上0.30μｍ以下、Ａ×aを7.0×10-3μｍ2以上3.0×10-2μｍ2以下に制御することで、高湿流れ(中間調)、黒スジ及びクリーニング不良が更に良好となり、高湿流れ(文字)、高湿流れ(中間調)、黒スジ及びクリーニング不良に対して特に良好となった。
【手続補正１２】
【補正対象書類名】明細書
【補正対象項目名】０１５９
【補正方法】変更
【補正の内容】
【０１５９】
表14の結果より、電子写真感光体の微視的及び巨視的な表面形状について、Ａが0.07μｍとなるように研磨した場合、aを0.03μｍ以上0.55μｍ以下、Ａ×aを2.1×10-3μｍ2以上3.9×10-2μｍ2以下に制御することで高湿流れ(文字)、高湿流れ(中間調)、黒スジ及びクリーニング不良が良好となった。また、aを0.05μｍ以上0.45μｍ以下、Ａ×aを3.5×10-3μｍ2以上3.2×10-2μｍ2以下に制御することで、より良好となった。そして、bが870％/μｍ以下、cを840％/μｍ以下にすることで黒スジ及びクリーニング不良が更に良好となり、aを0.07μｍ以上0.40μｍ以下、Ａ×aを1.2×10-2μｍ2以上2.8×10-2μｍ2以下に制御することで、高湿流れ(中間調)が更に良好となり、高湿流れ(文字)、高湿流れ(中間調)、黒スジ及びクリーニング不良に対して特に良好となった。
【手続補正１３】
【補正対象書類名】明細書
【補正対象項目名】０１６８
【補正方法】変更
【補正の内容】
【０１６８】
表17の結果より、電子写真感光体の微視的及び巨視的な表面形状について、Ａを0.01μｍ以上0.17μｍ以下、aを0.11μｍ以上0.25μｍ以下、Ａ×aを1.1×10-3μｍ2以上4.3×10-2μｍ2以下に制御することで高湿流れ(文字)、高湿流れ(中間調)、黒スジ及びクリーニング不良が良好となった。また、Ａを0.03μｍ以上0.15μｍ以下、aを0.12μｍ以上0.23μｍ以下、Ａ×aを3.6×10-3μｍ2以上3.5×10-2μｍ2以下に制御することで、より良好となった。そして、c/bを0.50以上にすることで黒スジ更に良好となり、Ｂを3000％/μｍ以下、Ｃを200％/μｍ以上、Ｃ/Ｂを0.10以上にすることで、高湿流れ(中間調)及びクリーニング不良が良好となり、高湿流れ(文字)、高湿流れ(中間調)、黒スジ及びクリーニング不良に対して特に良好となった。
【手続補正１４】
【補正対象書類名】明細書
【補正対象項目名】０１７８
【補正方法】変更
【補正の内容】
【０１７８】
表19の結果より、どの電子写真感光体においても高湿流れ(文字)、高湿流れ(中間調)、黒スジ及びクリーニング不良は良好であったが、bを450％/μｍ以上、cを900％/μｍ以上、c/bを2.0以下に制御することで、より高湿流れ(文字)及び高湿流れ(中間調)が良好となった。また、Ｂを2260％/μｍ以下、Ｃを2000％/μｍ以下、Ｃ/Ｂを0.78以下にすることで、クリーニング不良が更に良好となり、高湿流れ(文字)、高湿流れ(中間調)、黒スジ及びクリーニング不良に対して特に良好となった。
【手続補正１５】
【補正対象書類名】明細書
【補正対象項目名】０１８９
【補正方法】変更
【補正の内容】
【０１８９】
以上、実施例１から９及び比較例１から７の結果より、Ａを0.01μｍ以上0.30μｍ以下、aを0.03μｍ以上0.55μｍ以下、Ａ×aを1.0×10-3μｍ2以上4.5×10-2μｍ2以下に制御することで、高湿流れ(文字)、高湿流れ(中間調)、黒スジ及びクリーニング不良が良好となり、その中でも、Ａを0.02μｍ以上0.25μｍ以下、aを0.05μｍ以上0.45μｍ以下、Ａ×aを3.0×10-3μｍ2以上3.5×10-2μｍ2以下に制御することで、より良好となった。そして、bを250％/μｍ以上1000％/μｍ以下、cを220％/μｍ以上1000％/μｍ以下、c/bを0.5以上2.0以下に制御することで、更に良好となった。更に、Ｂを250％/μｍ以上3000％/μｍ以下、Ｃを200％/μｍ以上2000％/μｍ以下、Ｃ/Ｂを0.1以上1.0以下に制御することにより、更に良好となった。この中でも、Ａを0.03μｍ以上0.20μｍ以下、aを0.07μｍ以上0.40μｍ以下、Ａ×aを5.0×10-3μｍ2以上3.0×10-2μｍ2以下に制御することで、高湿流れ(文字)、高湿流れ(中間調)、黒スジ及びクリーニング不良に対して特に良好となった。